(57)【要約】  本発明は圧縮機及び冷却機器を提供する。圧縮機は、第１の接続端子及び第２の接続端子が設けられているハウジングと、ハウジング内に設けられ、ステータと、複数の第１の引き出し線を含む第１の配線グループと、複数の第２の引き出し線を含む第２の配線グループと、を含み、第１の配線グループが、ステータの端面の第１の位置から引き出されて第１の接続端子に接続され、第２の配線グループが、ステータの端面の第２の位置から引き出されて第２の接続端子に接続されるモータと、を含み、第１の位置と第２の位置とを結ぶ線の中点を中間点とし、中間点とモータの出力軸の軸線とを通過する平面を中間平面とし、第１の接続端子及び第１の位置は中間平面の一方側に位置し、第２の接続端子及び第２の位置は中間平面の他方側に位置する。本発明にて提供される圧縮機は、第１の配線グループと第２の配線グループとの交差を回避し、引き出し線の絡み合いによる安全上の懸念を解消する。
2021508232.tif 000002
【特許請求の範囲】
【請求項１】
第１の接続端子及び第２の接続端子が設けられるハウジングと、
モータであって、前記ハウジング内に設けられ、ステータと、複数の第１の引き出し線を含む第１の配線グループと、複数の第２の引き出し線を含む第２の配線グループと、を含み、前記第１の配線グループが、前記ステータの端面の第１の位置から引き出されて前記第１の接続端子に接続され、前記第２の配線グループが、前記ステータの端面の第２の位置から引き出されて前記第２の接続端子に接続されるモータと、
を含み、
前記第１の位置と前記第２の位置とを結ぶ線の中点を中間点とし、前記中間点と前記モータの出力軸の軸線とを通過する平面を中間平面とし、前記第１の接続端子及び前記第１の位置は前記中間平面の一方側に位置し、前記第２の接続端子及び前記第２の位置は前記中間平面の他方側に位置することを特徴とする圧縮機。
【請求項２】
前記第１の接続端子は複数の第１の接続ポストを含み、複数の前記第１の引き出し線は複数の前記第１の接続ポストとそれぞれ接続され、
前記第２の接続端子は複数の第２の接続ポストを含み、複数の前記第２の引き出し線は複数の前記第２の接続ポストとそれぞれ接続されることを特徴とする請求項１に記載の圧縮機。
【請求項３】
前記第１の引き出し線の数は３つであり、前記第２の引き出し線の数は３つであり、
前記第１の接続ポストの数は３つであり、前記第２の接続ポストの数は３つであることを特徴とする請求項２に記載の圧縮機。
【請求項４】
３つの前記第１の接続ポストは互いに平行であり、且つ、２つずつの前記第１の接続ポストの間の距離が等しく、
３つの前記第２の接続ポストは互いに平行であり、且つ、２つずつの前記第２の接続ポストの間の距離が等しいことを特徴とする請求項３に記載の圧縮機。
【請求項５】
前記第１の引き出し線の数は前記第２の引き出し線の数と等しいことを特徴とする請求項１から請求項４のいずれか一項に記載の圧縮機。
【請求項６】
前記第１の配線グループに接続され、且つ複数の前記第１の接続ポストに挿設される第１のソケットと、
前記第２の配線グループに接続され、且つ複数の前記第２の接続ポストに挿設される第２のソケットと、をさらに含むことを特徴とする請求項２から請求項４のいずれか一項に記載の圧縮機。
【請求項７】
前記モータは永久磁石モータであることを特徴とする請求項１から請求項４のいずれか一項に記載の圧縮機。
【請求項８】
前記モータは前記ステータ内に配置されるロータをさらに含み、
前記ロータの永久磁石は希土類永久磁石又はフェライト永久磁石であり、前記永久磁石は板状永久磁石又は瓦状永久磁石であることを特徴とする請求項１から請求項４のいずれか一項に記載の圧縮機。
【請求項９】
請求項１から請求項８のいずれか一項に記載の圧縮機を含むことを特徴とする冷却機器。
【請求項１０】
前記冷却機器は冷蔵庫又はエアコンであることを特徴とする請求項９に記載の冷却機器。
【発明の詳細な説明】
【技術分野】
【０００１】
本願は、２０１８年０１月０３日に中国特許庁に提出された、出願番号が２０１８２０００７１０６．８であり、発明の名称が「圧縮機と冷却機器」である中国特許出願の優先権を主張し、その内容の全てを援用することにより本願に取り入れる。
【０００２】
本発明は、圧縮機の技術分野に関し、特に、圧縮機及び冷却機器に関する。
【背景技術】
【０００３】
全周波数帯での圧縮機の効率的な運転を実現するために、巻線切り替え技術は、近年業界で研究のホットスポットとなっている。
【０００４】
圧縮機の接続ポストとモータ配線との接続関係において、通常、一般的な用途のモータの引き出し線の位置と巻線切り替え用途のモータの引き出し線の位置は異なっており、従来の接続形態だけを採用すると、図１に示すように、配線の交差、絡み、あるいは配線と部材との位置の衝突等の問題がよく生じることになり、圧縮機の性能に影響を与え、安全上の懸念も生じ易いため、巻線切り替えが適用される場合での接続端子の構造及び位置は、圧縮機のモータに合わせて設計を最適化する必要がある。
【発明の概要】
【発明が解決しようとする課題】
【０００５】
上記技術的問題の少なくとも１つを解決するために、本発明の第１の態様の実施例は圧縮機を提供する。
【０００６】
本発明の第２の態様の実施例は冷却機器をさらに提供する。
【課題を解決するための手段】
【０００７】
これに鑑みて、本発明の第１の態様の実施例によれば、本発明にて提供される圧縮機は、第１の接続端子及び第２の接続端子が設けられるハウジングと、ハウジング内に設けられ、ステータと、複数の第１の引き出し線を含む第１の配線グループと、複数の第２の引き出し線を含む第２の配線グループと、を含み、第１の配線グループが、ステータの端面の第１の位置から引き出されて第１の接続端子に接続され、第２の配線グループが、ステータの端面の第２の位置から引き出されて第２の接続端子に接続されるモータと、を含み、第１の位置と第２の位置とを結ぶ線の中点を中間点とし、中間点とモータの出力軸の軸線とを通過する平面を中間平面とし、第１の接続端子及び第１の位置は中間平面の一方側に位置し、第２の接続端子及び第２の位置は中間平面の他方側に位置する。
【０００８】
本発明にて提供される圧縮機は、第１の接続端子及び第１の配線グループが中間平面の一方側に配置され、第２の接続端子及び第２の配線グループが中間平面の他方側に配置されることにより、第１の配線グループと第２の配線グループとの交差や絡みを回避し、引き出し線と引き出し線及び引き出し線と他の導電部材との安全距離を十分に確保し、信頼性が高く、引き出し線の絡み合いによる安全上の懸念を解消し、また、従来の設計構造に比べて、接続端子の数を減らし、取り付け構造を簡素化し、製造及び取り付けを容易にし、さらに、引き出し線と接続端子との組立製造性を向上させて製品の製造効率の向上に役立つとともに、圧縮機におけるモータの巻線切り替えをより容易に実現させる。
【０００９】
さらに、本発明にて提供される上記実施例の圧縮機は、以下の追加の技術的特徴を有することもできる。
【００１０】
上記技術的手段において、好ましくは、第１の接続端子は複数の第１の接続ポストを含み、複数の第１の引き出し線は複数の第１の接続ポストとそれぞれ接続され、第２の接続端子は複数の第２の接続ポストを含み、複数の第２の引き出し線は複数の第２の接続ポストとそれぞれ接続される。
【００１１】
当該技術的手段において、第１の接続端子は複数の第１の接続ポストを含み、複数の第１の引き出し線が複数の第１の接続ポストと順次に接続されることで、引き出し線と端子との間の接続が実現され、また、複数の第１の引き出し線間の交差や絡みを回避するために、適切な接続順序を特定の設計要件に応じて選択することもできる。同様に、第２の接続端子と第２の引き出し線も順次に接続される。
【００１２】
上記いずれかの技術的手段において、好ましくは、第１の引き出し線の数は３つであり、第２の引き出し線の数は３つであり、第１の接続ポストの数は３つであり、第２の接続ポストの数は３つである。
【００１３】
当該技術的手段において、第１の引き出し線の数は３つであり、第２の引き出し線の数は３つであり、三相モータに適用することができ、三相モータを採用する圧縮機は構造が簡単で、運転安定性が確実で、高い汎用性を有する。
【００１４】
上記いずれかの技術的手段において、好ましくは、３つの第１の接続ポストは互いに平行であり、且つ、２つずつの第１の接続ポストの間の距離が等しく、３つの第２の接続ポストは互いに平行であり、且つ、２つずつの第２の接続ポストの間の距離が等しい。
【００１５】
当該技術的手段において、３つの第１の接続ポストは互いに平行であり、且つ、２つずつの第１の接続ポストの間の距離が等しく、これは、同じ平面上において３つの第１の接続ポスト間を結ぶ線が正三角形を形成することに相当し、第１の接続ポストの構造強度の向上に役立つとともに、接続ポストの接続を容易にする。第２の接続ポストも第１の接続ポストと同様に配置されている。
【００１６】
上記いずれかの技術的手段において、好ましくは、第１の引き出し線の数は第２の引き出し線の数と等しい。
【００１７】
当該技術的手段において、モータにおける第１の引き出し線と第２の引き出し線の数が等しく、第１の引き出し線と第２の引き出し線がそれぞれモータの両側に位置することで、引き出し線が配線端子に接続された後に各引き出し線の間に生じる交差や絡みが回避される。
【００１８】
上記いずれかの技術的手段において、好ましくは、第１の配線グループに接続され、且つ複数の第１の接続ポストに挿設される第１のソケットと、第２の配線グループに接続され、且つ複数の第２の接続ポストに挿設される第２のソケットと、をさらに含む。
【００１９】
当該技術的手段において、まず第１の配線グループを第１のソケットに接続し、次に第１のソケットを第１の接続端子に挿設し、こうすると、第１の配線グループと第１の接続端子は安定的で確実な接続を実現することができるとともに、圧縮機を組み立てるプロセスを簡略化し、ソケットを接続端子に直接挿設することで、第１の配線グループと第１の接続端子との接続を実現でき、圧縮機の製造効率を向上させ、後期の取り外し及びメンテナンスにも役立つ。
【００２０】
上記いずれかの技術的手段において、好ましくは、モータは永久磁石モータである。
【００２１】
当該技術的手段において、圧縮機に用いられるモータは永久磁石モータであり、永久磁石モータは、構造が簡単で、安定的に動作でき、多くの圧縮機に適用するとともに、上記構造を採用する永久磁石モータは、巻線切り替えを容易にし、全周波数帯での圧縮機の効率的な運転の実現に役立つ。
【００２２】
上記いずれかの技術的手段において、好ましくは、モータはステータ内に配置されたロータをさらに含み、ロータの永久磁石は希土類永久磁石又はフェライト永久磁石であり、永久磁石は板状永久磁石又は瓦状永久磁石である。
【００２３】
当該技術的手段において、モータはロータをさらに含み、永久磁石の配置及び組立を容易にするとともに、永久磁石の磁気特性の向上及び圧縮機の運転効率の向上を図るために、ロータの永久磁石は希土類永久磁石又はフェライト永久磁石を選択してもよく、永久磁石の構造は板状構造又は瓦状構造であってもよい。
【００２４】
本発明の第２の態様の実施例にて提供される冷却機器は、第１の態様の実施例の圧縮機を含む。
【００２５】
本発明にて提供される冷却機器は、上記圧縮機を採用することにより、圧縮機内の引き出し線の交差や絡みを回避し、引き出し線と引き出し線及び引き出し線と他の導電部材との安全距離を十分に確保し、信頼性が高く、引き出し線の絡み合いによる安全上の懸念を解消し、また、従来の設計構造に比べて、接続端子の数を減らし、取り付け構造を簡素化し、製造及び取り付けを容易にし、さらに、引き出し線と接続端子との組立製造性を向上させて圧縮機の製造効率の向上に役立つとともに、圧縮機におけるモータの巻線切り替えをより容易に実現させる。
【００２６】
上記技術的手段において、好ましくは、冷却機器は冷蔵庫又はエアコンである。
【００２７】
当該技術的手段において、冷却機器は冷蔵庫又はエアコンであり、冷蔵庫又はエアコンは上記圧縮機を採用することができ、圧縮機内の配線の絡み合いによる安全上の懸念を減らし、また、製品の製造効率を向上させることができる。
【００２８】
本発明の付加的な態様及び利点は、次の説明によって明らかになり、又は本発明を実施することで理解される。
【００２９】
本発明に係る上記及び／又は附加的な態様及び利点は、下記の図面と結び付けて実施例を説明する過程で明らかで理解しやすいものになる。
【図面の簡単な説明】
【００３０】
【図１】関連技術における圧縮機の上部ハウジングアセンブリとモータ引き出し線との接続を示す概略図である。
【図２】本発明の一実施例の構造を示す概略図である。
【図３】図２に示される構造の組立図である。
【図４】図２に示される構造におけるモータの構造を示す概略図である。
【図５】図２に示される構造の平面図である。
【図６】本発明の一実施例の部分断面図である。
【図７】本発明の一実施例に係るロータの構造を示す概略図である。
【図８】本発明の一実施例に係るロータの構造を示す概略図である。
【図９】本発明の一実施例における圧縮機の接続を示す概略図である。
【発明を実施するための形態】
【００３１】
本発明の上記の目的、特徴及び利点をより明確に理解できるように、以下、図面及び具体的な実施形態を参照しながら本発明についてさらに詳しく説明する。なお、矛盾しない限り、本願の実施例及び実施例に係る特徴は互いに組み合わせることができる。
【００３２】
本発明が充分に理解されるように、以下の説明で多くの具体的な詳細を説明するが、本発明はここで説明されるものと異なる形態で実施することもできるため、本発明の保護範囲は以下で開示される具体的な実施例に限定されない。
【００３３】
以下、図２から図９を参照しながら本発明のいくつかの実施例に記載の圧縮機及び冷却機器を説明する。
【００３４】
図２から図６に示すように、本発明にて提供される圧縮機は、第１の接続端子１２及び第２の接続端子１４が設けられるハウジング１と、ハウジング１内に設けられ、ステータ２０２と、複数の第１の引き出し線２０４を含む第１の配線グループと、複数の第２の引き出し線２０６を含む第２の配線グループと、を含み、第１の配線グループが、ステータ２０２の端面の第１の位置から引き出されて第１の接続端子１２に接続され、第２の配線グループが、ステータ２０２の端面の第２の位置から引き出されて第２の接続端子１４に接続されるモータ２と、を含み、第１の位置と第２の位置とを結ぶ線の中点を中間点とし、中間点とモータ２の出力軸の軸線とを通過する平面を中間平面とし、第１の接続端子１２及び第１の位置は中間平面の一方側に位置し、第２の接続端子１４及び第２の位置は中間平面の他方側に位置する。
【００３５】
本発明にて提供される圧縮機は、第１の接続端子１２及び第１の配線グループが中間平面の一方側に配置され、第２の接続端子１４及び第２の配線グループが中間平面の他方側に配置されることにより、第１の配線グループと第２の配線グループとの交差や絡みを回避し、引き出し線と引き出し線及び引き出し線と他の導電部材との安全距離を十分に確保し、信頼性が高く、引き出し線の絡み合いによる安全上の懸念を解消し、また、従来の設計構造に比べて、接続端子の数を減らし、取り付け構造を簡素化し、製造及び取り付けを容易にし、さらに、引き出し線と接続端子との組立製造性を向上させて製品の製造効率の向上に役立つとともに、圧縮機におけるモータ２の巻線切り替えをより容易に実現させる。
【００３６】
当該実施例では、具体的には、図４に示すように、第１の配線グループはステータ２０２の端面の第１の位置から引き出され、第２の配線グループはステータ２０２の端面の第２の位置から引き出され、第１の位置に点Ａが設けられ、第２の位置に点Ｂが設けられ、ＡとＢを結ぶ線の中点を点Ｃとし、点Ｃと圧縮機及びそのモータ２の回転軸線を通って平面Ｍを画定し、このようにして、第１及び第２の配線グループならびに第１及び第２の接続端子１２及び１４は、平面Ｍの両側にそれぞれ配置されることで、配線交差を回避し、後続するモータ２に対するスタートライアングル切り替えの実現を容易にする。点Ａは、第１の位置範囲内の任意の点であってもよく、点Ｂは、第２の位置範囲内の任意の点であってもよく、配線グループのコネクタに金属インサートが設けられて接続ポストに接続され、又は巻線のコネクタが引き出し線アセンブリに接続され、引き出し線アセンブリを介して接続ポストに接続される。
【００３７】
図１に示す従来技術における圧縮機において、２つの接続端子が同じ側に位置し且つ距離が近すぎ、そのうち２組の引き出し線が交差し且つ１組の引き出し線が排気パイプと交差し、電気的距離が不足する可能性があり、また、製造プロセスが困難になり、図３に示すように、本発明にて提供される圧縮機は、引き出し線同士の交差及び引き出し線と排気パイプ４１２との交差を回避して異なる引き出し線同士の絡みを回避し、圧縮機内の各部材間の安全距離を保証し、圧縮機内の配線をより安全で、合理的にさせる。図２では、排気パイプ及びモータの外側に位置するハウジングを図示していない。
【００３８】
本発明の一実施例では、好ましくは、図２、図３、図５及び図６に示すように、第１の接続端子１２は複数の第１の接続ポスト１２２を含み、複数の第１の引き出し線２０４は複数の第１の接続ポスト１２２とそれぞれ接続され、第２の接続端子１４は複数の第２の接続ポスト１４２を含み、複数の第２の引き出し線２０６は複数の第２の接続ポスト１４２とそれぞれ接続される。
【００３９】
当該実施例では、第１の接続端子１２は複数の第１の接続ポスト１２２を含み、複数の第１の引き出し線２０４は複数の第１の接続ポスト１２２と順次に接続されることで、引き出し線と端子との間の接続を実現し、また、複数の第１の引き出し線２０４の交差や絡みを回避するために、適切な接続順序を特定の設計要件に応じて選択することもできる。同様に、第２の接続端子１４と第２の引き出し線２０６も順次に接続される。第１の接続ポスト１２２及び第２の接続ポスト１４２の数は実際の必要に応じて設計することができ、例えば２つ、３つ、４つ以上である。
【００４０】
本発明の一実施例では、好ましくは、図２、図３及び図５に示すように、第１の引き出し線２０４の数は３つであり、第２の引き出し線２０６の数は３つであり、第１の接続ポスト１２２の数は３つであり、第２の接続ポスト１４２の数は３つである。
【００４１】
当該実施例では、第１の引き出し線２０４の数は３つであり、第２の引き出し線２０６の数は３つであり、三相モータ２に適用することができ、三相モータ２を採用する圧縮機は構造が簡単で、運転安定性が確実で、高い汎用性を有する。
【００４２】
本発明の一実施例では、好ましくは、図２、図３及び図５に示すように、３つの第１の接続ポスト１２２は互いに平行であり、且つ、２つずつの第１の接続ポスト１２２の間の距離が等しく、３つの第２の接続ポスト１４２は互いに平行であり、且つ、２つずつの第２の接続ポスト１４２の間の距離が等しい。
【００４３】
当該実施例では、３つの第１の接続ポスト１２２は互いに平行であり、且つ、２つずつの第１の接続ポスト１２２の間の距離が等しく、これは、同じ平面上において３つの第１の接続ポスト１２２間を結ぶ線が正三角形を形成することに相当し、第１の接続ポスト１２の構造強度の向上に役立つとともに、接続ポストの接続を容易にする。第２の接続ポスト１４２も第１の接続ポスト１２２と同様に配置されている。
【００４４】
本発明の一実施例では、好ましくは、第１の引き出し線２０４の数は第２の引き出し線２０６の数と等しい。
【００４５】
当該実施例では、モータ２における第１の引き出し線２０４と第２の引き出し線２０６の数が等しく、第１の引き出し線２０４と第２の引き出し線２０６はそれぞれモータ２の両側に位置することで、引き出し線が配線端子に接続された後に各引き出し線の間に生じる交差や絡みを回避する。
【００４６】
本発明の一実施例では、好ましくは、図４に示すように、第１の配線グループに接続され、且つ複数の第１の接続ポスト１２２に挿設される第１のソケット３０２と、第２の配線グループに接続され、且つ複数の第２の接続ポスト１４２に挿設される第２のソケット３０４と、をさらに含む。
【００４７】
当該実施例では、まず第１の配線グループを第１のソケット３０２に接続し、次に第１のソケット３０２を第１の接続端子１２に挿設し、こうすると、第１の配線グループと第１の接続端子１２は安定的で確実な接続を実現することができるとともに、圧縮機を組み立てるプロセスを簡略化し、ソケットを接続端子に直接挿設することで、第１の配線グループと第１の接続端子１２との接続を実現でき、圧縮機の製造効率を向上させ、後期の取り外し及びメンテナンスにも役立つ。
【００４８】
本発明の一実施例では、好ましくは、モータ２は永久磁石モータである。
【００４９】
当該実施例では、圧縮機に用いられるモータ２は永久磁石モータであり、永久磁石モータは、構造が簡単で、安定的に動作でき、多くの圧縮機に適用するとともに、上記構造を採用する永久磁石モータは、巻線切り替えを容易にし、全周波数帯での圧縮機の効率的な運転の実現に役立つ。
【００５０】
本発明の一実施例では、好ましくは、図４、図７及び図８に示すように、モータ２はステータ２０２内に配置されるロータ２０８をさらに含み、ロータ２０８の永久磁石２０８２は希土類永久磁石又はフェライト永久磁石であり、永久磁石２０８２は板状永久磁石又は瓦状永久磁石である。
【００５１】
当該実施例では、モータ２はロータ２０８をさらに含み、永久磁石２０８２の配置及び組立を容易にするとともに、永久磁石２０８２の磁気特性の向上及び圧縮機の運転効率の向上を図るために、ロータ２０８の永久磁石２０８２は希土類永久磁石又はフェライト永久磁石を選択してもよく、永久磁石２０８２の構造は板状構造（図７に示すように）又は瓦状構造（図８に示すように）であってもよい。永久磁石２０８２は、ロータ２０８内に設けられるコアスロットに取り付けられてもよく、それに対応して、ステータ２０２の巻線は、ステータ２０２のコアに設けられてもよい。
【００５２】
図３、図５及び図６に示すように、圧縮機は排気パイプ４１２及び圧縮部をさらに含む。排気パイプ４１２は排気のために用いられ、また、第１の配線グループ及び第２の配線グループは排気パイプ４１２と交差しなく、それにより十分な安全距離を確保し、圧縮部は具体的にはクランクシャフト４０２、主軸受４０４、シリンダー４０６、ピストン４０８、副軸受４１０等の構造を有し、クランクシャフト４０２はロータ２０８に接続され、圧縮部中のピストン４０８の移動を駆動して気体を圧縮する。また、ハウジング１は具体的に上部ハウジング、下部ハウジング及びメインハウジングに分けられ、上部ハウジング、下部ハウジング及びメインハウジングのシール嵌合によって、圧縮機の密閉室を形成する。
【００５３】
本発明は、第１態様の実施例に係る圧縮機を含む冷却機器をさらに提供する。
【００５４】
本発明にて提供される冷却機器は、上記圧縮機を採用することにより、圧縮機内の引き出し線の交差や絡みを回避し、引き出し線と引き出し線及び引き出し線と他の導電部材との安全距離を十分に確保し、信頼性が高く、引き出し線の絡み合いによる安全上の懸念を解消し、また、従来の設計構造に比べて、接続端子の数を減らし、取り付け構造を簡素化し、製造及び取り付けを容易にし、さらに、引き出し線と接続端子との組立製造性を向上させて圧縮機の製造効率の向上に役立つとともに、圧縮機におけるモータの巻線切り替えを容易にさせる。
【００５５】
本発明の一実施例では、好ましくは、冷却機器は冷蔵庫又はエアコンである。
【００５６】
当該実施例では、冷却機器は冷蔵庫又はエアコンであり、冷蔵庫又はエアコンは上記の圧縮機を採用することができ、圧縮機内の配線の絡み合いによる安全上の懸念を減らし、また、製品の製造効率を向上させることができる。
【００５７】
本発明の一実施例では、好ましくは、図９に示すように、インバータは電源に接続され、インバータは圧縮機にも接続されて圧縮機に電力を供給し、インバータと圧縮機が接続される配線には、圧縮機におけるモータ２の巻線の接続形態を切り替え、例えばスター接続とトライアングル接続との切り替えを実現するための切り替えスイッチが設けられており、上記圧縮機を採用することにより、切り替えスイッチの配置が容易となり、それにより、モータの巻線切り替えが容易になる。
【００５８】
本発明において、「複数」という用語は、特に断りのない限り、２つ又は２つ以上を指す。「取り付け」、「連結」、「接続」、「固定」などの用語は広義に解釈されるべきものであり、例えば、「接続」は、固定接続であっても、取り外し可能な接続であっても、又は一体的な接続であってもよく、「連結」は、直接連結であっても、中間媒体を介した間接連結であってもよい。当業者は、特定の状況に従って、本発明における上記用語の特定の意味を理解することができる。
【００５９】
本明細書の説明において、「一実施例」、「いくつかの実施例」、「特定の実施例」などの用語の記載は、当該実施例又は実例と結び付けて記載される具体的な特徴、構造、材料、又は特性が、本発明の少なくとも１つの実施例又は実例に含まれることを意味する。本明細書において、上記用語の例示的な表現は、必ずしも同じ実施例又は実例を指すものではない。さらに、記載される具体的な特徴、構造、材料、又は特性は、任意の１つ以上の実施例又は実例において適切な形態で組み合わせることができる。
【００６０】
以上は本発明の好ましい実施例に過ぎず、本発明を限定するものではなく、当業者であれば、本発明に対して様々な変更及び変形を行うことができる。本発明の趣旨及び原則内に行われる任意の補正、均等置換、改善などは、いずれも本発明の保護範囲内に含まれるべきである。
【符号の説明】
【００６１】
図１〜図９における各符号と部材名称との間の対応関係は以下のとおりである。
１  ハウジング
１２  第１の接続端子
１２２  第１の接続ポスト
１４  第２の接続端子  
１４２  第２の接続ポスト
２  モータ
２０２  ステータ
２０４  第１の引き出し線
２０６  第２の引き出し線
２０８  ロータ
２０８２  永久磁石
３０２  第１のソケット
３０４  第２のソケット
４０２  クランクシャフト
４０４  主軸受
４０６  シリンダー
４０８  ピストン
４１０  副軸受
４１２  排気パイプ
【図１】
2021508232.tif 000003
【図２】
2021508232.tif 000004
【図３】
2021508232.tif 000005
【図４】
2021508232.tif 000006
【図５】
2021508232.tif 000007
【図６】
2021508232.tif 000008
【図７】
2021508232.tif 000009
【図８】
2021508232.tif 000010
【図９】
2021508232.tif 000011
【国際調査報告】
2021508232.tif 000012
2021508232.tif 000013
2021508232.tif 000014
2021508232.tif 000015
2021508232.tif 000016
2021508232.tif 000017